(57)【要約】【課題】扉の衝突音の低減化、扉の跳ね返り抑制および虫の侵入を防止し得ると共に、軽量化を図りつつ強度を向上し、かつ製造コストを低廉に抑える。【解決手段】食器戸棚の本体２２は、一対の側板１２,１４、天板１６、底板１８および２枚の背板２０,２０を相互に連結固定することで構成される。一対の側板１２,１４と天板１６とは、ネジ４０を介して連結固定される。また一対の側板１２,１４と底板１８とは、ネジ４４を介して連結固定される。一対の側板１２,１４、天板１６および底板１８と背板２０,２０とは、ネジを介して連結固定される。側板１２,１４、天板１６および底板１８は、中空パネル３２の内部に発泡材３４を充填した壁構造となっている。【選択図】図１
2005046589.tif 000002
【特許請求の範囲】
【請求項１】
被収納物が収納される収納室(26)が内部画成された本体(22)に開設した開口部(22a)を扉(28,30)により開閉する戸棚において、
前記本体(22)における少なくとも前記扉(28,30)が衝突する壁(12,14,16,18)は、鋼板により形成された中空パネル(32)の内部に発泡材(34)を充填した壁構造となっている
ことを特徴とする戸棚。
【請求項２】
被収納物が収納される収納室(26)が内部画成された本体(22)に開設した開口部(22a)を、左右にスライドするスライド扉(28,30)により開閉する戸棚において、
前記スライド扉(28,30)が衝突する左右の両側壁(12,14)は、鋼板により形成された中空パネル(32)の内部に発泡材(34)を充填した壁構造となっている
ことを特徴とする戸棚。
【請求項３】
前記発泡材(34)の発泡密度は、１００ｇ／ｌ以下である請求項２記載の戸棚。
【請求項４】
被収納物が収納される収納室(26)が内部画成された本体(22)に開設した開口部(22a)を扉(28,30)により開閉する戸棚において、
前記本体(22)を構成する少なくとも左右の両側壁(12,14)は、鋼板により形成された中空パネル(32)の内部に発泡材(34)を充填した壁構造となっている
ことを特徴とする戸棚。
【請求項５】
被収納物が収納される収納室(26)が内部画成された本体(22)に開設した開口部(22a)を扉(28,30)により開閉する戸棚において、
前記本体(22)は、別々に製作した左右両側板(12,14)、天板(16)、底板(18)および背板(20,20)を、固定手段(40,44,48)を介して相互に連結固定することで構成され、
少なくとも左右両側板(12,14)および天板(16)の夫々は、鋼板により形成された中空パネル(32)の内部に発泡材(34)を充填した壁構造となっている
ことを特徴とする戸棚。
【請求項６】
前記中空パネル(32)の表面には、梨子地加工が施されている請求項５記載の戸棚。
【発明の詳細な説明】
【技術分野】
【０００１】
本発明は、本体に内部画成した収納室に食器類等の被収納物を収納するよう構成した戸棚に関するものである。
【背景技術】
【０００２】
厨房に設置される食器類等を収納する戸棚は、箱状の本体の内部に、食器類等が収納される収納室が画成されると共に、該本体には、前方に開放する矩形状の開口部が開設され、この開口部は、スライド扉または観音開き式の扉により開閉されるよう構成される(例えば、特許文献１参照)。
【０００３】
前記本体は、ステンレス鋼等を材料とする鋼板を折曲げ加工した複数の板材を、相互に溶接することで構成されている。
【特許文献１】特開平８−１８７１３２号公報
【発明の開示】
【発明が解決しようとする課題】
【０００４】
前述した構造の本体における壁(板材)は鋼板のみで構成されているから、前記スライド扉または観音開き式の扉を閉める際には、該扉が壁面に衝突したときに大きな音が発生する問題があった。また、スライド扉の場合では、該扉を勢いよく閉めると、スライド扉が側壁に衝突したときの反動により跳ね返って開いた状態となり、再度扉を閉める煩雑な作業が必要となっていた。
【０００５】
更に、前述した構造の本体では、前記収納室に収納される食器類等の重みにより壁(板材)が撓んだり変形するのを防止するべく、その強度を確保するために、鋼板の板厚を大きくしたり、溶接箇所を増やすことで対応している。しかるに、板厚を大きくしても、それに見合うだけの強度が得られないばかりか、重くなる問題が指摘される。また、溶接箇所は仕上げ加工を施さなければならないため、溶接箇所を増やすことで加工工数が増加して、製造コストが嵩む難点が指摘される。
【０００６】
なお、壁の強度を高めるために中空構造とすることが考えられるが、この場合には、扉を閉めた時の衝突音が大きくなると共に、内部にゴキブリ等の虫が入り込むおそれがある。
【０００７】
すなわち本発明は、前述した従来の技術に内在している前記問題に鑑み、これを好適に解決するべく提案されたものであって、扉の衝突音の低減化、扉の跳ね返り抑制および虫の侵入を防止し得ると共に、軽量化を図りつつ強度を向上し、かつ製造コストを低廉に抑えることができる戸棚を提供することを目的とする。
【課題を解決するための手段】
【０００８】
前記問題を克服し、所期の目的を好適に達成するため、本発明に係る戸棚は、
被収納物が収納される収納室が内部画成された本体に開設した開口部を扉により開閉する戸棚において、
前記本体における少なくとも前記扉が衝突する壁は、鋼板により形成された中空パネルの内部に発泡材を充填した壁構造となっていることを特徴とする。
【０００９】
前記問題を克服し、所期の目的を好適に達成するため、本願の別の発明に係る戸棚は、
被収納物が収納される収納室が内部画成された本体に開設した開口部を、左右にスライドするスライド扉により開閉する戸棚において、
前記スライド扉が衝突する左右の両側壁は、鋼板により形成された中空パネルの内部に発泡材を充填した壁構造となっていることを特徴とする。
【００１０】
前記問題を克服し、所期の目的を好適に達成するため、本願の別の発明に係る戸棚は、
被収納物が収納される収納室が内部画成された本体に開設した開口部を扉により開閉する戸棚において、
前記本体を構成する少なくとも左右の両側壁は、鋼板により形成された中空パネルの内部に発泡材を充填した壁構造となっていることを特徴とする。
【００１１】
前記問題を克服し、所期の目的を好適に達成するため、本願の更に別の発明に係る戸棚は、
被収納物が収納される収納室が内部画成された本体に開設した開口部を扉により開閉する戸棚において、
前記本体は、別々に製作した左右両側板、天板、底板および背板を、固定手段を介して相互に連結固定することで構成され、
少なくとも左右両側板および天板の夫々は、鋼板により形成された中空パネルの内部に発泡材を充填した壁構造となっていることを特徴とする。
【発明の効果】
【００１２】
請求項１に係る戸棚によれば、本体における扉が衝突する壁を、鋼板により形成した中空パネルの内部に発泡材を充填した壁構造としたから、扉が衝突したときに発生する衝突音は発泡材で吸収され、衝突音を小さくすることができる。
【００１３】
請求項２に係る戸棚によれば、スライド扉が衝突する左右の両側壁を、鋼板により形成した中空パネルの内部に発泡材を充填した壁構造としたから、スライド扉が、閉めたときの反動で跳ね返るのは抑制され、閉め直す手間を省くことができる。また、請求項３に係る戸棚によれば、発泡材の発泡密度を１００ｇ／ｌ以下としたことで、スライド扉が側壁に衝突した際にはより高い衝撃吸収作用を奏する。
【００１４】
請求項４に係る戸棚によれば、本体を構成する左右の両側壁を、鋼板により形成した中空パネルの内部に発泡材を充填した壁構造としたから、壁の強度を高めることができると共に、内部にゴキブリ等の虫が入り込むのを防止することができる。
【００１５】
請求項５に係る戸棚によれば、本体を構成する各板を中空パネルの内部に発泡材を充填した壁構造としたから、鋼材の厚みを大きくすることなく充分な強度を確保し得ると共に、軽量化を図ることができる。また安価に製造することができる。更に、請求項６に係る戸棚によれば、各板の表面に梨子地加工を施すことで、板の歪み等が目立つのを抑制し得る。
【発明を実施するための最良の形態】
【００１６】
次に、本発明に係る戸棚につき、好適な実施例を挙げて、添付図面を参照しながら以下説明する。
【実施例】
【００１７】
図１または図２に示す如く、実施例に係る食器戸棚(戸棚)１０は、一対の側板(側壁)１２,１４、天板(壁)１６、底板(壁)１８および２枚の背板２０,２０を相互に連結固定することで、前方に開放する箱状の本体２２が構成される。この本体２２の内部には、上下方向の略中間位置に仕切板２４が配設され、本体内部には、該仕切板２４を挟んで上下に収納室２６が夫々画成されるようになっている。なお、両側板１２,１４における各収納室２６内に臨む対向する内面には、前後に離間して棚受柱(図示せず)が上下方向に延在するよう夫々配設され、該棚受柱に着脱自在に係止された棚受金を介して、食器類を載置する棚部材(何れも図示せず)が多段的に配設可能に構成されている。
【００１８】
前記本体２２の前部には、前方に開放する矩形状の開口部２２ａが、前記仕切板２４を挟んで上下に形成されている。各開口部２２ａの内周上部および内周下部には、その幅方向の全長に亘って、上レールおよび下レール(何れも図示せず)が設けられ、前記両レール間に、前スライド扉(扉)２８および後スライド扉(扉)３０が夫々幅(左右)方向にスライド自在に支持されて、前記開口部２２ａを開閉し得るよう構成してある。
【００１９】
前記本体２２を構成する左右両側板１２,１４、天板１６および底板１８の基本的な構成は同一であるので、天板１６の構成についてのみ説明し、両側板１２,１４および底板１８の同一部材には同じ符号を付して示すものとする。すなわち、図１に示す如く、天板１６は、ステンレス鋼を材料として中空箱状に形成された中空パネル３２の内部に、発泡ウレタン等の発泡材３４を充填した壁構造となっており、本体２２の組立て工程とは別の工程により製作される。前記発泡材３４の発泡密度は、１００ｇ／ｌ以下に設定され、高い衝撃吸収作用を奏するよう構成してある。この中空パネル３２の表面には、ショットピーニング等により梨子地加工が施され、ツヤ消し処理されている。なお、ショットピーニングに際し、パネル表面に抗菌被膜を形成するようにすれば、前記収納室２６に収納された食器類を衛生的に保つことができる。
【００２０】
前記天板１６の左右両側端部には、上下に貫通する通孔３６が前後方向に所定間隔離間して穿設されると共に、前記左右の両側板１２,１４の上面には、天板１６の通孔３６と対応する位置に上通孔３８が夫々穿設されている。なお、両側板１２,１４における上部内側には、上通孔３８と対応する位置に上ネジ板(図示せず)が内設されており、天板１６の各通孔３６から側板１２,１４の対応する各上通孔３８に挿通した固定手段としてのネジ４０を、前記上ネジ板のネジ孔に螺挿することで、当該天板１６と両側板１２,１４とが連結固定されている。
【００２１】
前記底板１８の左右両側端部には、上下に貫通する通孔４２が前後方向に所定間隔離間して穿設されると共に、前記左右の両側板１２,１４の下面には、底板１８の通孔４２と対応する位置に下通孔(図示せず)が夫々穿設されている。なお、両側板１２,１４における下部内側には、下通孔と対応する位置に下ネジ板(図示せず)が内設されており、底板１８の各通孔４２から側板１２,１４の対応する下通孔に挿通した固定手段としてのネジ４４を、前記下ネジ板のネジ孔に螺挿することで、当該底板１８と両側板１２,１４とが連結固定してある。
【００２２】
前記本体２２を構成する２枚の背板２０,２０は、所定厚みのステンレス鋼を材料とする薄板鋼板であって、その４つの端縁部には、前後に貫通する複数の通孔４６が上下方向あるいは左右方向に離間して夫々穿設されている。なお、各背板２０の上下寸法は、前記左右両側板１２,１４、天板１６および底板１８を相互に連結固定した際に後方に開放する後開口の略半分を閉成し得る寸法に設定されている。また、前記左右両側板１２,１４、天板１６および底板１８の後面には、上下方向または左右方向に所定間隔で後通孔(何れも図示せず)が穿設されると共に、各後通孔と対応する後部内側に後ネジ板が内設されている。そして、各背板２０の各通孔４６から側板１２,１４、天板１６および底板１８の対応する後通孔に挿通した固定手段としてのネジ４８を、前記後ネジ板のネジ孔に螺挿することで、背板２０,２０が両側板１２,１４、天板１６および底板１８に連結固定されている(図３参照)。
【００２３】
前記仕切板２４は、両側板１２,１４間に適宜の手段により架設されると共に、該仕切板２４の後面に、前記両背板２０,２０が前記ネジ４８を介して連結固定されるようになっている。なお、この仕切板２４も、前記側板１２,１４等と同様の壁構造を採用している。
【００２４】
前記前後のスライド扉２８,３０は、何れもステンレス鋼を材料とする鋼板により形成された中空パネル５０の内部に、発泡ウレタン等の発泡材(図示せず)を充填して構成されたものであって、必要な強度を確保すると共に消音性を向上するようにしてある。また、スライド扉２８,３０(中空パネル５０)の表面には、フッ素樹脂コートが施され、手アカや汚れが付き難くしてある。
【００２５】
〔実施例の作用〕
次に、前述した実施例に係る食器戸棚の作用について説明する。前記本体２２を構成する側板１２,１４、天板１２および底板１８は、夫々別に製作された後、背板２０,２０と共に組立てられる。すなわち、前記各板１２,１４,１６,１８,２０,２０を組立てる場合は、前記底板１８における左右両側端部上面に、前記左右両側板１２,１４の下面を当接して、底板１８の通孔４２と側板１２,１４の各下通孔とが整列するよう位置決めする。そして、底板１８の下方から両通孔４２に挿通したネジ４４を、対応する下ネジ板のネジ孔に螺挿することで、両側板１２,１４と底板１８とが連結固定される。また左右両側板１２,１４の上面に、前記天板１６の左右両側端部下面を当接して、天板１６の通孔３６と側板１２,１４の各上通孔３８とが整列するよう位置決めする。そして、天板１６の上方から両通孔３６,３８に挿通したネジ４０を、対応する上ネジ板のネジ孔に螺挿することで、両側板１２,１４と天板１６とが連結固定される。なお、両側板１２,１４あるいは天板１６や底板１８に位置決め部材を配設して、相互の組付け位置を簡単に行ない得るようにしてもよい。
【００２６】
前記両側板１２,１４の間に前記仕切板２４を架設した後、前記左右両側板１２,１４、天板１６および底板１８の後面に、前記背板２０,２０の各端縁部前面を当接して、側板１２,１４、天板１６および底板１８の各後通孔と背板２０,２０の通孔４６とを整列するよう位置決めする。そして、背板２０,２０の後方から両通孔４６に挿通したネジ４８を、対応する後ネジ板のネジ孔に螺挿することで、左右両側板１２,１４、天板１６および底板１８に背板２０,２０が連結固定される。これにより、前方に開口部２２ａが形成された箱状の本体２２が構成される。なお、前記仕切板２４にも背板２０,２０が、ネジ４８を介して連結固定される。
【００２７】
前記本体２２を構成する側板１２,１４、天板１６および底板１８は、何れも中空パネル３２に発泡材３４を充填した壁構造を採用しているから、中空パネル３２を構成する鋼材の板厚を大きくすることなく、充分な剛性(強度)を得ることができる。従って、製造コストを低廉に抑え得ると共に、軽量化を図ることもできる。また実施例では、側板１２,１４を、天板１６と底板１８とで上下から挟持する状態で連結固定しているから、本体２２の強度を更に向上し得ると共に、前記前後のスライド扉２８,３０を支持する上下のレールの歪み等の発生を防止し、該スライド扉２８,３０を円滑にスライド可能な状態で支持することができる。
【００２８】
前記中空パネル３２に充填されている発泡材３４により、該パネル３２の壁面が撓むのを更に防止し得ると共に、金属板特有のビビリ音の発生を防止して静粛性を保つことができる。更に、各板１２,１４,１６,１８,２０,２０は、ネジ４０,４４,４８を介して連結固定しているから、溶接により連結する従来とは異なり、溶接箇所を仕上げ加工する工程を不要として、組立工程数を低減し得る。
【００２９】
実施例の本体２２は、溶接により各板１２,１４,１６,１８,２０,２０を連結するものではないので、現場での組立てができ、据付け場所の条件等に応じて、現場で組立てたり、あるいは予め組上がった姿で搬入することを選択できる。また、幅寸法の異なる各種仕様の本体２２を構成するに際し、前記側板１２,１４を共通部品として使用することができ、各仕様毎に異なる寸法の板を製作する場合に比べて、製造コストを低廉に抑えることができる。
【００３０】
前記側板１２,１４、天板１６および底板１８の表面には梨子地加工が施されているから、例えば各板１２,１４,１６,１８に歪み等が生じた場合であっても、目立つことはなく、見栄えを損なうのを抑制し得る。また、鏡面加工に比べて周囲の厨房機器や作業者の映り込みがないので、作業者の気が散るのは抑えられる。
【００３１】
前記スライド扉２８,３０を閉める際に、該扉２８,３０が衝突する本体２２を構成する両側板１２,１４は、中空パネル３２に発泡材３４を充填した壁構造としてあるから、スライド扉２８,３０が衝突したときに発生する衝突音は、発泡材３４で吸収される。すなわち、発泡材３４の衝撃吸収作用により衝突音を小さくすることができ、静音性に優れる。なお、中空パネル３２の内部には発泡材３４が隙間なく詰まっているから、前記衝突音は低音となり、重量感が得られる。
【００３２】
また、発泡材３４の衝撃吸収作用によりスライド扉２８,３０が跳ね返るのも抑制され、一旦閉めた扉２８,３０を再度閉め直す煩雑な作業を省略することができる。なお、両側板１２,１４、天板１６および底板１８の内部には隙間が無いから、ゴキブリ等の虫が入り込んで不衛生となるのは防止される。
【００３３】
前記スライド扉２８,３０の表面にはフッ素樹脂コートが施されているので、作業者が開閉操作する際に汚れ難く、清掃が容易となる。またスライド扉２８,３０自体も、中空パネル５０に発泡材を充填した構造を採用しているから、静粛性に優れると共に質感も向上する。
【００３４】
実施例では、戸棚として食器類を収納する食器戸棚を挙げて説明したが、収納される被収納物は食器類等に限定されるものでなく、その他各種のものを収納する戸棚を対象とし得る。また実施例では、天板、底板および仕切板を、側板と同じ壁構造としたが、スライド扉を閉める際に衝突しない天板、底板および仕切板に関しては、厚板鋼板から形成した中空パネルのみの構造(内部に発泡材を充填していない構造)としてもよい。すなわち、少なくともスライド扉が衝突する両側板(両側壁)が前述した壁構造となっていればよい。なお、底板および仕切板を中空パネルのみの構造とした場合は、載置される被収納物等の重量によるへこみ発生を防止し得る。更に実施例では、本体の開口部をスライド扉により開閉する形態の戸棚を挙げたが、観音開き式の扉で開口部を開閉するものであってもよい。この観音開き式の扉を採用した場合は、該扉を閉める際に衝突する少なくとも、枢支側とは反対側の側板(壁)および天板(壁)、底板(壁)が、中空パネルの内部に発泡材が充填された壁構造となっていればよい。なお、一側縁部において回動自在に枢支された一枚の回動式扉で、開口部を開閉する構造を採用し得る。
【００３５】
実施例では、背板を薄板鋼板で構成したが、該背板も側板等と同様の壁構造を採用し得る。また、本体を構成する各板、仕切板あるいはスライド扉に充填される発泡材としては、発泡ウレタンに限定されるものでなく、発泡スチロール等であってもよい。更に、背板は２枚でなく１枚であってもよい。更にまた、実施例では本体内部に仕切板を配設して上下に収納室を設けた場合で説明したが、収納室は１つ、あるいは３つ以上であってもよく、また収納室が左右に分かれる構造であってもよい。なお、各板を連結固定する固定手段としては、実施例のネジに限定されるものでなく、ビスやリベット等であってもよい。
【図面の簡単な説明】
【００３６】
【図１】実施例に係る食器戸棚の本体を構成する各板を分解した状態で示す概略斜視図である。
【図２】実施例に係る食器戸棚を示す正面図である。
【図３】実施例に係る食器戸棚を示す背面図である。
【符号の説明】
【００３７】
１２ 左側板(側壁)，１４ 右側板(側壁)，１６ 天板(壁)，１８ 底板(壁)，２０ 背板
２２ 本体，２２ａ 開口部，２６ 収納室，２８ 前スライド扉(扉)
３０ 後スライド扉(扉)，３２ 中空パネル，３４ 発泡材，４０ ネジ(固定手段)
４４ ネジ(固定手段)，４８ ネジ(固定手段)
【図１】
2005046589.tif 000003
【図２】
2005046589.tif 000004
【図３】
2005046589.tif 000005